(57)【要約】【課題】本発明は、容易にウインチを取り付けることができ、ウインチから出るロープの引き回しを簡単にできる仮設昇降装置を提供する。【解決手段】仮設昇降装置１は、籠床２と、籠縦枠３と、ウインチロープ４と、ウインチ５と、ウインチ枠６と、ロープガイド７とを備える。籠床２は、エレベータの昇降路２０に沿って移動する乗り籠に使用される籠床である。籠縦枠３は、籠床２の対辺となる縁２ａ，２ｂから上方に一対に延びる。ウインチロープ４は、昇降路２０の上部に設けられる吊元２１から垂らされる。ウインチ５は、籠床２の外周よりも内側で籠縦枠３の基部３ａにそれぞれ配置され、上方からウインチロープ４を取り込み側方へ繰出す。ウインチ枠６は、ウインチ５を籠縦枠３に固定する。ロープガイド７は、ウインチ５から繰出されるウインチロープ４を籠縦枠３および籠床２を迂回させて昇降路２０へ垂らす。【選択図】図１
2006182461.tif 000002
【特許請求の範囲】
【請求項１】
エレベータの昇降路に沿って移動する乗り籠の籠床と、
前記籠床の対辺となる縁から上方に延びる一対の籠縦枠と、
前記昇降路の上部に設けられる吊元から垂らされるウインチロープと、
前記籠床の外周よりも内側で前記籠縦枠の基部にそれぞれ配置されて上方から前記ウインチロープを取り込み側方へ繰出すウインチと、
前記ウインチを前記籠縦枠に固定するウインチ枠と、
前記ウインチから繰出される前記ウインチロープを前記昇降路へ前記籠縦枠および前記籠床を迂回させて垂らすロープガイドと
を備えることを特徴とする仮設昇降装置。
【請求項２】
前記ウインチ枠は、底部にキャスターを備えることを特徴とする請求項１に記載の仮設昇降装置。
【請求項３】
前記ウインチ枠を前記縦籠枠との取付位置へ案内する位置決ガイドを備えることを特徴とする請求項１または請求項２に記載の仮設昇降装置。
【請求項４】
前記ウインチ枠は、少なくとも前記ウインチが前記ウインチロープを取り込む上側に取っ手を一つ備えることを特徴とする請求項１から請求項３のいずれか１項に記載の仮設昇降装置。
【請求項５】
前記ロープガイドは、前記ウインチから繰出される前記ウインチロープを前記籠床よりも外側へ取回す第１の滑車と、この第１の滑車を経た前記ウインチロープを前記昇降路に沿う方向へ取回す第２の滑車とを備えることを特徴とする請求項１から請求項４のいずれか１項に記載の仮設昇降装置。
【発明の詳細な説明】
【技術分野】
【０００１】
本発明は、籠床および籠枠の一部を用いる作業籠にウインチを取り付けてエレベータの設置工事に利用される仮設昇降装置に関する。
【背景技術】
【０００２】
エレベータの設置工事において、レールが設置された後で乗り籠および巻上機が稼動されるまでの間、資材の搬入やホールドアおよび枠の組み付けを行うために設けられる作業用の仮設昇降装置がある。この仮設昇降装置は、本設の乗り籠の一部を利用した作業籠と、これを巻き上げるウインチとを備える。この場合、建物の高層化にともない、ウインチは、ウインチロープを巻き取らないエンドレスタイプのものが用いられる。
【０００３】
特許文献１は、エンドレスタイプのウインチを用いる仮設昇降装置を開示している。特許文献１は、昇降路の上部にウインチを設置する場合と、作業籠側にウインチを設置する場合とについて、異なる形態を数例ずつ開示している。特に作業籠側にウインチを取り付ける場合、本設される乗り籠の籠枠の上部に取り付けている。
【特許文献１】特許第３０９２４５６号公報
【発明の開示】
【発明が解決しようとする課題】
【０００４】
特許文献１に記載のエレベータの据付用仮設ウインチ装置の場合、ウインチの取付位置は、縦枠の上方にある。ウインチは、単体でも重量があるため、縦枠にウインチを合わせて取り付けるために、別の揚重機でウインチを吊って取り付ける必要が生じる。そのため、ウインチを揚重するために揚重機を吊るす段取りが必要となる。ウインチの取り付け及び取り外しのためのハンドリングに手間がかかるため、工数が余計にかかる。
【０００５】
また、仮設ウインチ装置を使用してエレベータの据付工事を行う段階においては、昇降路内に様々な周辺機器やこれらを取り付けるための足場が設置され始めている。ウインチロープは、ウインチから出た後、自然に垂れ下がっており、籠床より下の周辺機器に当たらないようにするための配慮が必要である。特に、ウインチを籠床よりも内側の位置に取り付ける場合、籠床の縁で擦れることのないようにしなければならない。
【０００６】
そこで、この発明は、容易にウインチを取り付けることができ、ウインチから出るロープの引き回しを簡単にできる仮設昇降装置を提供することにある。
【課題を解決するための手段】
【０００７】
本発明に係る仮設昇降装置は、籠床と、籠縦枠と、ウインチロープと、ウインチと、ウインチ枠と、ロープガイドとを備える。籠床は、エレベータの昇降路に沿って移動する乗り籠に使用される籠床である。籠縦枠は、籠床の対辺となる縁から上方に一対に延びる。ウインチロープは、昇降路の上部に設けられる吊元から垂らされる。ウインチは、籠床の外周よりも内側で籠縦枠の基部にそれぞれ配置され、上方からウインチロープを取り込み側方へ繰出す。ウインチ枠は、ウインチを籠縦枠に固定する。ロープガイドは、ウインチから繰出されるウインチロープを昇降路へ籠縦枠および籠床を迂回させて垂らす。
【０００８】
特別に揚重機を使わずにウインチを取付位置に搬送するために、ウインチ枠は、底部にキャスターを備えることが好ましい。また、取付位置に対する位置合わせを容易にするために、ウインチ枠を縦籠枠との取付位置へ案内する位置決ガイドを備えることも好ましい。さらに、搬送する際のハンドリングを良くするために、ウインチ枠は、少なくともウインチがウインチロープを取り込む上側に取っ手を一つ備えるとよい。ウインチロープを滑らかに案内するために、ロープガイドは、ウインチから繰出されるウインチロープを籠床よりも外側へ取回す第１の滑車と、この第１の滑車を経たウインチロープを昇降路に沿う方向へ取回す第２の滑車を備える。
【発明の効果】
【０００９】
本発明に係る仮設昇降装置によれば、ウインチを籠縦枠の基部に設置するので、揚重機を別途用意してウインチを取り付ける必要が無い。また、籠縦枠と籠床とを迂回させてウインチロープを昇降路へ垂らすロープガイドを備えているので、ウインチロープを籠床に擦れさせることなく、また、昇降路内の周辺機器や足場に当たらない適切な位置に垂らすことができる。
【発明を実施するための最良の形態】
【００１０】
本発明に係る第１の実施形態の仮設昇降装置１は、図１および図２を参照して説明する。仮設昇降装置１は、図１に示すように、籠床２と、籠縦枠３と、ウインチロープ４と、ウインチ５と、ウインチ枠６と、ロープガイド７とを備える。籠床２は、エレベータの昇降路２０に沿って移動する乗り籠に使用される籠床である。籠縦枠３は、籠床２の対辺となる縁２ａ，２ｂから一対に上方に延びている。籠床２および籠縦枠３は、当該昇降路２０にこれから設置されるエレベータのものを流用する。
【００１１】
ウインチロープ４は、昇降路２０の上部に設けられる吊元２１から垂らされる。吊元２１は、専用のものであっても良いし、何か他のものに転用されるものであっても良いし、仮設されるものであっても良い。図３に示すように一対に設けられる籠縦枠３を結ぶ線分上にウインチロープ４が垂下される位置に、吊元２１を設ける。
【００１２】
ウインチ５は、図１および図３に示すように籠床２の外周よりも内側で籠縦枠３の基部３ａにそれぞれ配置される。ウインチ５は、ウインチロープ４を巻き取らないエンドレス式であり、ウインチロープ４を上方から鉛直に取り込み、側方へ繰出す。
【００１３】
ウインチ枠６は、図２に示すように、ウインチ５の四方を囲むように設けられ、ウインチ５を籠縦枠３に固定する。ウインチ枠６の天板６ａには、ウインチロープ４が通されるロープ孔６ｂと、ウインチ枠６をウインチ５ごと搬送するための取っ手８が取り付けられている。ウインチ枠６の底部６ｃには、４つのキャスター９が取り付けられている。したがって、作業員が手で持ち上げて搬送するには重いウインチ５であっても、特別に揚重機を使用せずに運ぶことができ、ウインチ５を搭載したウインチ枠６ごと移動させる際のハンドリングが良い。
【００１４】
また、籠縦枠３には、ウインチ枠６を固定するための籠側ブラケット３ｂが設けられている。ウインチ枠６には、このウインチ枠６を籠床２にキャスター９で立てた状態で籠側ブラケット３ｂに対応する位置にウインチ側取付部６ｄを備える。籠側ブラケット３ｂとウインチ側取付部６ｄとは、図１および図２に示すようにボルト１０とナット１１で締結される。本実施形態においては、籠側ブラケット３ｂに鉛直方向へ縦長のボルト孔１２ａを設け、ウインチ側取付部６ｄに水平方向へ横長のボルト孔１２ｂを設け、互いに製造誤差、組立誤差を吸収する。したがって、作業員は、ウインチ５をウインチ枠６ごとキャスター９で運び込みそのまま籠縦枠３に押し当てることで、籠側ブラケット３ｂとウインチ側取付部６ｄとのボルト孔１２ａ，１２ｂを合わせ、ウインチ５を固定することができる。
【００１５】
ロープガイド７は、ウインチロープ４が繰出される側のウインチ枠６に設けられる。ロープガイド７は、丸棒鋼を曲げて作られている。ロープガイド７の基部７ａは、溶接あるいはボルト止めなど適切な方法でウインチ枠６に固定される。ロープガイド７の先端７ｂは、籠床２の上から外れる位置まで延びており、少なくとも１巻き螺旋状に形成されている。したがって、末端から通さなくてもウインチロープ４を掛けることができる。ウインチロープ４は、ウインチ５の側方から繰出された後、ロープガイド７によって籠縦枠３および籠床２を迂回して、昇降路２０に垂れている。ウインチロープ４を垂らす位置は、周辺機器との接触の可能性が最も少ない位置となるようにする。
【００１６】
以上のように構成された仮設昇降装置１は、エレベータの設置工事において、昇降路２０に設置される様々な装置類、例えば、ホールドアや安全装置などを設置するために使用される。昇降路２０内に乗り籠用のレールが敷設された後、籠床２および籠縦枠３が設置されると、ウインチ５を搭載するウインチ枠６を搬入して籠縦枠３の基部３ａに固定する。そして、昇降路２０の上部に設けられる吊元２１から下がるウインチロープ４をウインチ５に掛ける。
【００１７】
ウインチ枠６にキャスター９が取り付けられており、籠床２に置いた状態で籠縦枠３と合わされる。したがって、ウインチ５の設置作業が容易に行える。また、ウインチ枠６にロープガイド７が取り付けられており、ウインチロープ４を籠床２の縁２ａ，２ｂよりも外側の位置までウインチロープ４を案内するので、籠床２の縁２ａ，２ｂを傷つけることもない。
【００１８】
本発明に係る第２の実施形態の仮設昇降装置１は、図４を参照して説明する。なお、第１の実施形態の仮設昇降装置１と同じ構成については、同一の符号を付し、また、ウインチ枠６の配置など、全体的な構成については、図１およびその説明を参照するものとしてここでの記載を省略する。
【００１９】
図４に示すように、籠床２には、位置決ガイドとなるガイドプレート１５が取り付けられている。このガイドプレート１５は、ウインチ枠６の底部６ｃに取り付けられたキャスター９を案内し、ウインチ枠６を籠縦枠３に対して位置決めする。なお、ウインチ５を籠縦枠３に対して位置決めするために案内する機能を有するもの、例えば、籠縦枠３から内側に向かって延びるアームや、籠側ブラケット３ｂに突き立てられたガイドピンなどをガイドプレート１５の代わりに設けても良い。
【００２０】
また、ウインチ枠６に取り付けられるロープガイド７は、Ｌ形鋼を立体的に曲げて作られており、ウインチ５から繰出されたウインチロープ４を籠縦枠３および籠床２を迂回させて、籠床２よりも外側までなだらかに案内する。この仮設昇降装置１は、第１の実施形態の場合に比べてウインチ５を籠縦枠３に対して簡単に位置決めすることができ、籠側ブラケット３ｂとウインチ側取付部６ｄとのボルト孔１２ａ，１２ｂの位置合わせのための微調整を省略することができる。
【００２１】
本発明に係る第３の実施形態の仮設昇降装置１は、図５を参照して説明する。本実施形態の仮設昇降装置１は、第１および第２の実施形態の仮設昇降装置１に対して、ロープガイド７の形態が異なる。仮設昇降装置１の全体の構成は、第１の実施形態と同じであるので、図１およびそれに対応する箇所を参照するものとし、ここでの記載を省略する。また、図５中において、第１の実施形態の仮設昇降装置１と同じ構成は、同一の符号を付してその説明を省略する。
【００２２】
図５に示すように、ロープガイド７は、少なくとも２つの滑車を備えており、各々ブラケットでウインチ枠６に固定されている。第１の滑車３１は、ウインチ５から繰出されるウインチロープ４を籠床２よりも外側へ向けて取回す。第２の滑車３２は、第１の滑車３１を経たウインチロープ４を昇降路２０に沿う方向へ取回す。本実施形態では、さらに第３の滑車３３を第１の滑車３１とウインチ５との間に設けている。第３の滑車３３は、ウインチロープ４が自重で垂れる方向へ沿うように配置されている。この結果、第１の滑車３１および第２の滑車３２によってウインチロープ４を屈曲させる曲げ量が少なくなる。したがって、ウインチロープ４に対する負担を減らすことができる。
【図面の簡単な説明】
【００２３】
【図１】本発明に係る第１の実施形態の仮設昇降装置を示す斜視図。
【図２】図１に示した仮設昇降装置の一方のウインチを示す斜視図。
【図３】図１に示した仮設昇降装置を上方から見下ろした平面図。
【図４】図２に示したウインチを籠縦枠から取外した斜視図。
【図５】本発明に係る第２の実施形態の仮設昇降装置のウインチを示す斜視図。
【符号の説明】
【００２４】
１…仮設昇降装置、２…籠床、３…籠縦枠、３ａ…基部、４…ウインチロープ、５…ウインチ、６…ウインチ枠、６ｃ…底部、７…ロープガイド、８…取っ手、９…キャスター、１５…ガイドプレート（位置決ガイド）、２０…昇降路、２１…吊元、３１…第１の滑車、３２…第２の滑車。
【図１】
2006182461.tif 000003
【図２】
2006182461.tif 000004
【図３】
2006182461.tif 000005
【図４】
2006182461.tif 000006
【図５】
2006182461.tif 000007